(57)【要約】【課題】  大容量の個人情報が記録可能なＩＣカードを冊子中に隠蔽して固定することにより、冊子からＩＣカードを剥離困難とし、偽造及び改ざんされた場合において発見容易となる冊子を提供するものである。【解決手段】  ＩＣチップとアンテナからなるＩＣユニット部を有するＩＣカードが冊子の所定の位置に隠蔽して装着されていることを特徴とする冊子であって、大容量の個人情報が記録可能なＩＣカードを冊子中に隠蔽して固定することにより、冊子からＩＣカードを剥離困難とし、偽造改ざんされた場合において発見容易となる冊子を提供する。【選択図】  図４
2005047173.tif 000002
【特許請求の範囲】
【請求項１】
ＩＣチップとアンテナからなるＩＣユニット部を有するＩＣカードを冊子の所定の位置に隠蔽して装着するための装着部を設けたことを特徴とする冊子。    
【請求項２】
冊子の所定の位置に袋状又は冊子のページの倍幅を折り返した装着部が設けられ、ＩＣチップとアンテナからなるＩＣユニット部を有するＩＣカードが前記装着部に収納されることを特徴とする冊子。    
【請求項３】
冊子の表又は裏表紙に冊子の幅より大きい幅の見返し用紙を備えた冊子において、ＩＣチップとアンテナからなるＩＣユニット部を有するＩＣカードが、見返しを折り返して固着されることによりＩＣカードを隠蔽する装着部を設けたことを特徴とする冊子。    
【請求項４】
前記装着部は、表裏に模様が印刷されていることを特徴とする請求項１乃至請求項３に記載の冊子。    
【請求項５】
前記装着部は、表裏に表裏合成模様が印刷されている部分を有することを特徴とする請求項４に記載の冊子。    
【請求項６】
冊子に固有の識別情報が穿孔により付与されている請求項１乃至請求項５に記載の冊子。    
【請求項７】
前記固有の識別情報の穿孔がＩＣカードの一部を貫通又は途中まで穿孔されていることを特徴とする請求項６に記載の冊子。    
【請求項８】
大きさがカードより大きな冊子にカードを装着する際に、冊子の大きさとほぼ同じでかつカードの厚みに等しい板にカードの大きさをくり抜いた大きさ調整用板に、カードを挿入したものを、冊子に装着することを特徴とする請求項１乃至請求項７に記載の冊子。 
【発明の詳細な説明】
【技術分野】
【０００１】
本発明は、パスポート、預金通帳、学生証、社員証などの身分を証明しようとする書類としての冊子に関してなされたものである。
【背景技術】
【０００２】
従来パスポートのように身分証明機能を有する冊子は表見返しに本人確認のための顔写真や個人情報が印字され、中身には査証等の必要事項が記入できるページが設けられている。これまでは人による記載事項の確認を行うために必要な構成のみであったが、最近は機械的な認識の必要性が高まっており、非接触にて冊子内の情報の読取りを行える機能が要望されてきている。      
【０００３】
【特許文献１】特開平１１−４３４８４６９号
【０００４】
そこで、ＩＣカードのような大容量の記憶媒体を冊子に搭載することが種々提案されている。例えば特開平１１−４３４８４６９号に記載されたような、外部と情報の授受が可能なＩＣチップ、アンテナを有するＩＣユニットが設けられたＩＣカードに画像を形成し、このカードを冊子の所定位置に貼り付けたことを特徴とするＩＣ冊子は、ＩＣチップと冊子とを別々に製造することで製造工程中に作業で壊れることを防止するものとされている。
【発明の開示】
【発明が解決しようとする課題】
【０００５】
しかし、上記ＩＣ冊子には貼付されたＩＣカードを剥がされ、別のＩＣカードにすり替えられる危険性がある。本発明はこのような危険性を回避するためになされたものであり、大容量の個人情報が記録可能なＩＣカードを冊子中に隠蔽して固定することにより、冊子からＩＣカードを剥離困難とし、偽造及び改ざんされた場合において発見容易となる冊子を提供するものである。
【課題を解決するための手段】
【０００６】
以上のような課題を解決するために、本発明は以下のように構成される。      
【０００７】
ＩＣチップとアンテナからなるＩＣユニット部を有するＩＣカードが冊子の所定の位置に隠蔽して装着されていることを特徴とする冊子である。      
【０００８】
本発明は、冊子の所定の位置に袋状又は冊子のページの倍幅を折り返した装着部が設けられ、ＩＣチップとアンテナからなるＩＣユニット部を有するＩＣカードが前記装着部に収納されることを特徴とする冊子である。      
【０００９】
また、本発明は、冊子の表又は裏表紙に冊子の幅より大きい幅の見返し用紙を備えた冊子において、ＩＣチップとアンテナからなるＩＣユニット部を有するＩＣカードが、見返しを折り返して固着されることによりＩＣカードを隠蔽する装着部を設けたことを特徴とする冊子である。      
【００１０】
本発明の前記見返しは、表裏に表裏合成模様が印刷されている部分を有することを特徴とする冊子である。      
【００１１】
本発明は冊子に固有の識別情報が穿孔により付与されており、ＩＣチップとアンテナからなるＩＣユニット部を有するＩＣカードが冊子の所定の位置に隠蔽して装着されていることを特徴とする冊子である。      
【００１２】
本発明は、冊子に固有の識別情報が穿孔により付与されており、ＩＣチップとアンテナからなるＩＣユニット部を有するＩＣカードが冊子の所定の位置に隠蔽して装着されていて、冊子の中身には表裏に表裏合成模様が印刷されている部分を有することを特徴とする冊子である。      
【００１３】
本発明は、冊子に固有の識別情報が穿孔により付与されており、冊子の表又は裏表紙に冊子の幅より大きい幅の見返し用紙を備え、ＩＣチップとアンテナからなるＩＣユニット部を有するＩＣカードを見返し部に貼付し、見返しを折り返して固着することによりＩＣカードを隠蔽する装着部を設け、前記見返しは、表裏に表裏合成模様が印刷されている部分を有すことを特徴とする冊子である。      
【００１４】
本発明は、冊子に固有の識別情報が穿孔により付与されており、冊子の所定の位置に袋状の装着部が設けられ、ＩＣチップとアンテナからなるＩＣユニット部を有するＩＣカードが前記装着部に収納することによりＩＣカードを隠蔽し、前記袋状装着部は表裏に表裏合成模様が印刷されている部分を有することを特徴とする冊子である。      
【００１５】
本発明は、固有の識別情報の穿孔がＩＣカードの一部も貫通又は途中まで穿孔されていることを特徴とする冊子である。      
【００１６】
本発明は、大きさがカードより大きな冊子にカードを装着する際に、冊子の大きさとほぼ同じで、かつカードの厚みに等しい板にカードの大きさをくり抜いた大きさ調整用板に、カードを挿入したものを、冊子に装着することを特徴とする冊子である。
【発明の効果】
【００１７】
本発明は、ＩＣカード付き冊子において、貼付されたＩＣカードを剥がされ、別のＩＣカードにすり替えられるような危険を回避するためになされたものであり、大容量の個人情報が記録可能なＩＣカードを冊子中に隠蔽して固定することにより、冊子からＩＣカードを剥離困難とし、偽造及び改ざんされた場合において発見が容易となる冊子を提供する効果がある。
【発明を実施するための最良の形態】
【００１８】
冊子の製造工程を簡単に説明すると、数枚のいわゆる中身と呼ばれるデータシートを積層した状態で見返しと帳合し、冊子の長辺を断裁した後、冊子中央をミシンで糸綴じをする。表紙に糊付けしたものをデータシート積層体の上に載せ、ローラで圧力をかけて見返しと表紙を接着する。その後短辺方向を断裁して冊子を形成する。  この冊子を製造する際に、ＩＣカードの装着を容易にするために、ＩＣカードを装着するための部分をあらかじめ冊子に組み込む方法として、見返し用紙の片側に冊子の幅より大きい幅の見返し用紙を備えておき、ＩＣカードを見返し用紙を折り返した間に装着するか、あるいは中身のデータシートのページの一部にあらかじめ袋状、又は冊子のページの倍幅を折り返した装着部を備えておくことで、容易にＩＣカードを冊子に隠蔽した状態で装着できるとともに、隠蔽に用いている用紙にあらかじめ偽造・改ざんが困難な模様の印刷を施したり、固有の情報を冊子及び装着したカード部に穿孔しておくことで冊子の偽造・改ざんを困難にすることができる。  なお、冊子の大きさがカードより大きな場合には、冊子の大きさとほぼ同じでかつカードの厚みに等しい板にカードの大きさをくり抜いた大きさ調整用板に、カードを挿入したものを、冊子に装着するか又は冊子の大きさにした特殊サイズのカードを使用することで、できた冊子に段差を生じないようにすることができる。    
【実施例１】
【００１９】
以上の工程で作製される冊子について、実施例に基づき説明する。図１において中身用紙１を積載したデータシート積層体１１と見返し用紙２を帳合してミシンで中央部a-bにて糸綴じをする。見返し用紙２は表見返し部３と裏見返し部４からなるが、裏見返し部４の寸法を冊子幅つまり表見返し部３の幅の２倍にしたものをあらかじめ折り線c-dにて折り返しておき、データシート積層体１１と共に帳合いし、長辺断裁後ミシン掛けし、表紙５と見返しを糊で貼り合わせた形状を図２に示した。  なお、折り返し部を持つページは見返し部ではなく、中身のデータシート部のページに設けても良い。  一方、図３にＩＣチップ６とアンテナ７を支持基材上８に形成したＩＣカード９を図示する。支持基材８の材料は塩化ビニル、ポリエチレン等の樹脂でもよいし、剛性の高い紙でもよい。  ＩＣカードは冊子中に隠蔽してしまうので、表裏には特段の模様、画像等は設けずにブランクのカードとすることもできるし、管理のための必要な事項としての番号等を印刷したものでもよい。  図４に冊子にＩＣカードを装着する例を図示する。裏見返し４にはその内側にＩＣカード９を挿入し、糊付けして固定する。その後倍幅の見返し部を折りたたみ、貼り合わせてＩＣカードを隠蔽する。見返しはあらかじめ表裏に印刷しておくことができ、表裏の模様をあらかじめ組み合わせ模様としておくことで、改ざんを困難にすることもできる。  また、ＩＣカードを挿入した冊子に、冊子に固有の識別情報を穿孔により付与することで改ざんをより困難にすることができ、この場合カード部分を完全に貫通させて改ざん防止を図ることも、穿孔をカードの途中までにすることにより、より改ざんを難しくすることもできる。冊子に固有の識別情報として、冊子の製造番号や発行番号、所有者の名前や日付をそのまま又はそれらを暗号化処理した記号などを使用することができる。  更に、冊子の大きさがカードより大きい場合には、冊子とほぼ同じ大きさでカードの厚さに等しく、カードの大きさをくり抜いた調整用の板にカードを挿入したものを冊子に装着することにより、挿入した部分に段差がつかず、扱い易さや見栄えの良いものができる。  調整用板としてはカードとほぼ同じ厚さの紙を用いても良いし、プラスチックの板を用いても良い。また、調整用板を使わずに、カードとして、通常使用されているカードの大きさより大きな冊子と同じ大きさの特殊サイズのカードを使用しても良い。    
【実施例２】
【００２０】
また、冊子の帳合い時に一部を袋綴じとして冊子を形成する一方、ＩＣカードの両面に粘着層と剥離層からなるシール加工しておき、冊子の袋綴じ部にＩＣカードを固定してもよい。袋綴じ部や袋状装着部を冊子の中身に設け、その装着部を表裏合成模様とすれば、透かして見たときに裏面の模様と表面の模様が組み合わさって、別の模様が目視で確認できるので、真偽判別に有効な手段となり、また偽造者に
対して抑止力として作用する。    
【実施例３】
【００２１】
図５に別の実施例を図示する。見返し用紙２の片面に袋状の装着部１０を貼り付け、模様を印刷後、帳合いして冊子としてもよい。一方、ＩＣカード９の両面には粘着層と剥離層からなるシールを貼付する。冊子の袋状の装着部にこのシールで固定する。    
【実施例４】
【００２２】
見返し用紙の裏見返し部４にエンボス加工により、またはカードの大きさにくり抜いた調整用の板を裏見返し部４に貼り合せることにより凹部４aを設ける。データシート積層体１１とともに帳合いし、長辺断裁後ミシン掛けし、表紙５と見返しを糊で貼り合わせた後、裏見返し部４にＩＣカード９を貼付するにあたって、折り線c-dにて折り返した時、ＩＣカード９が凹部４aに埋没状態になるような位置に貼付し、折り返した裏見返し部同士を糊で接着する冊子の説明図を図６に示した。
【図面の簡単な説明】
【００２３】
【図１】本発明である冊子の糸綴じ前の状態を表した断面図である。
【図２】本発明である冊子の糸綴じ後の状態を表した断面図である。
【図３】ＩＣカードの構成を示した平面図である。
【図４】本発明であるＩＣカードを冊子に隠蔽した状態を表した断面図である。
【図５】本発明の実施例の一つである袋状のＩＣカード装着部を示した図である。
【図６】本発明の実施例の一つである裏見返しの凹部にＩＣカードを装着した断面図である。
【符号の説明】
【００２４】
１    中身用紙    ２    見返し    ３    表見返し部    ４    裏見返し部    ４ａ  凹部    ５    表紙    ６    ＩＣチップ    ７    アンテナ    ８    支持基材    ９    ＩＣカード    １０  ＩＣカードポケット    １１  データシート積層体  
【図１】
2005047173.tif 000003
【図２】
2005047173.tif 000004
【図３】
2005047173.tif 000005
【図４】
2005047173.tif 000006
【図５】
2005047173.tif 000007
【図６】
2005047173.tif 000008